(57)【要約】【課題】携帯電話装置において、操作の複雑化を可及的に回避しながら、携帯電話装置にて撮影された画像を誤って削除してしまうのを抑制して、撮像装置にて撮影した画像を写真プリントとして残せるようにする。【解決手段】被写体を撮像する撮像装置５と、その撮像装置５にて撮像した画像データを記憶する記憶装置と、その記憶装置に記憶された画像データの画像を表示可能な表示装置ＤＰと、前記記憶装置に記憶された画像データを管理する画像データ管理装置とが設けられた携帯電話装置において、前記画像データ管理装置は、前記記憶装置に記憶されている画像のうちのいずれかを選択して削除するための削除案内表示ＤＬと、その選択された画像について写真プリントの作製を発注指示するためのプリント注文表示ＰＯとを対応付けて、前記表示装置ＤＰに表示させるように構成されている。【選択図】図１
2005176109.tif 000002
【特許請求の範囲】
【請求項１】
被写体を撮像する撮像装置と、その撮像装置にて撮像した画像データを記憶する記憶装置と、その記憶装置に記憶された画像データの画像を表示可能な表示装置と、前記記憶装置に記憶された画像データを管理する画像データ管理装置とが設けられた携帯電話装置であって、
前記画像データ管理装置は、前記記憶装置に記憶されている画像のうちのいずれかを選択して削除するための削除案内表示と、その選択された画像について写真プリントの作製を発注指示するためのプリント注文表示とを対応付けて、前記表示装置に表示させるように構成されている携帯電話装置。
【請求項２】
前記画像データ管理装置は、前記削除案内表示と前記プリント注文表示とを同一画面内に並列表示させるように構成されている請求項１記載の携帯電話装置。
【請求項３】
前記画像データ管理装置は、前記削除案内表示に従って画像の削除を指示入力されたときに、写真プリントの作製を発注する必要の有無を問い合わせる表示態様で前記プリント注文表示を表示させるように構成されている請求項１記載の携帯電話装置。
【発明の詳細な説明】
【技術分野】
【０００１】
本発明は、被写体を撮像する撮像装置と、その撮像装置にて撮像した画像データを記憶する記憶装置と、その記憶装置に記憶された画像データの画像を表示可能な表示装置と、前記記憶装置に記憶された画像データを管理する画像データ管理装置とが設けられた携帯電話装置に関する。
【背景技術】
【０００２】
かかる携帯電話装置は、いわゆるカメラ付き携帯電話として良く知られている形式の携帯電話装置である。
この携帯電話装置に搭載される撮像装置は近年高解像度化が進み、写真プリントを作製する画像ソースとしての利用に耐えうる機種が登場している。
携帯電話装置にて撮影した画像から写真プリントを作製する手法としては、従来、画像データを記憶する記憶装置として着脱自在のメモリーカードを備えて、そのメモリーカードを利用して写真プリントを作製する手法や、携帯電話装置の電子メール送受信機能を利用して写真プリントを作製する手法が考えられている。
【０００３】
前者のメモリーカードを利用する形式では、店舗等に設置されている写真プリント装置に、メモリーカードから画像データを読取って写真プリントを作製する機能を備える。
すなわち、撮像装置にて撮影した画像データを記憶しているメモリーカードを携帯電話装置から取り外し、その取り外したメモリーカードを写真プリント装置に装填して、その装填されたメモリーカードから読み出した画像データに基づいて写真プリントを作製する。
一方、後者の電子メール送受信機能を利用する形式は、電子メールに添付された画像の画像データを保存するサーバとそのサーバからダウンロードした画像データによって写真プリントを作製する写真プリント作製端末とを有するシステムを用いる。
すなわち、システムの利用者が撮像装置にて撮影した画像の画像データを電子メールに添付して上記サーバへ送信するとそのサーバからＩＤ情報等が返信され、利用者が受信したＩＤ情報等を店舗等に設置された上記写真プリント作製端末へ入力すると、その写真プリント作製端末がＩＤ情報に対応する画像データを上記サーバからダウンロードして写真プリントを作製する。
【０００４】
尚、本出願のような携帯電話装置自体ではないが、下記特許文献１に記載のように、デジタルカメラに携帯電話による通信機能を備え、プリントサービスシステムへ画像データを送信して写真プリントの作製を依頼する構成も考えられている。
【特許文献１】特開２００２−１０８７５３号公報
【発明の開示】
【発明が解決しようとする課題】
【０００５】
上述のようなメモリーカードを経由して写真プリントを作製する手法にしても、あるいは、電子メール機能を利用する手法にしても、写真プリントの作製を発注する操作が煩雑であるために、写真プリントが作製されないままの画像データが記憶装置に蓄積されてしまう場合が多い。
このため携帯電話装置の利用者は、記憶装置の記憶可能残量が残り少なくなってきたときに、慌てて記憶装置から画像データを削除する操作を行う。
携帯電話装置の記憶装置に記憶されている画像データを削除する操作は極めて簡単であるので、利用者は次々と画像を削除して行き、本来は写真プリントを作製するつもりであった画像までも誤って削除してしまうような場合がある。
本発明は、かかる実情に鑑みてなされたものであって、その目的は、操作の複雑化を可及的に回避しながら、携帯電話装置にて撮影された画像を誤って削除してしまうのを抑制して、撮像装置にて撮影した画像を写真プリントとして残せるようにする点にある。
【課題を解決するための手段】
【０００６】
本出願の第１の発明は、被写体を撮像する撮像装置と、その撮像装置にて撮像した画像データを記憶する記憶装置と、その記憶装置に記憶された画像データの画像を表示可能な表示装置と、前記記憶装置に記憶された画像データを管理する画像データ管理装置とが設けられた携帯電話装置において、前記画像データ管理装置は、前記記憶装置に記憶されている画像のうちのいずれかを選択して削除するための削除案内表示と、その選択された画像について写真プリントの作製を発注指示するためのプリント注文表示とを対応付けて、前記表示装置に表示させるように構成されている。
【０００７】
従って、携帯電話装置の利用者は、撮像装置にて撮影した画像の画像データについて記憶装置から削除する操作を行う過程で、写真プリントを発注指示するためのプリント注文表示を目にすることになり、実際に画像データを記憶装置から削除してしまう前にプリント注文の要否について利用者の注意を喚起できる。
しかも、携帯電話装置の利用者がプリント注文を指示する場合の操作が、画像データの削除操作と同等の簡単な操作となる。
【０００８】
又、本出願の第２の発明は、上記第１の発明の構成に加えて、前記画像データ管理装置は、前記削除案内表示と前記プリント注文表示とを同一画面内に並列表示させるように構成されている。
すなわち、前記削除案内表示と前記プリント注文表示とを対応付けるについては、例えば、利用者が前記削除案内表示に従って画像データの削除を指示入力した後に、前記プリント注文表示を表示させてプリント注文するか否かを確認するような表示態様も可能であるが、前記削除案内表示と前記プリント注文表示とを同一画面内に表示させることで、前記プリント注文表示を表示させることに起因して利用者に付加的な操作を要求することを回避できる。
【０００９】
又、本出願の第３の発明は、上記第１の発明の構成に加えて、前記画像データ管理装置は、前記削除案内表示に従って画像の削除を指示入力されたときに、写真プリントの作製を発注する必要の有無を問い合わせる表示態様で前記プリント注文表示を表示させるように構成されている。
すなわち、前記削除案内表示と前記プリント注文表示とを対応付けるについて、携帯電話装置の利用者が前記削除案内表示に従って画像の削除を指示入力したときに、写真プリントの作製を発注する必要の有無を問い合わせる旨を表示することで、利用者が誤って画像を削除してしまうのを防止する。
【発明の効果】
【００１０】
上記第１の発明によれば、実際に画像データを記憶装置から削除してしまう前にプリント注文の要否について利用者の注意を喚起でき、しかも、携帯電話装置からのプリント注文を画像データの削除操作と同等の簡単な操作で行えるので、操作の複雑化を可及的に回避しながら、携帯電話装置にて撮影された画像を誤って削除してしまうのを抑制して、撮像装置にて撮影した画像を写真プリントとして残せるものとなった。
又、上記第２の発明によれば、前記プリント注文表示を表示させることに起因して利用者に付加的な操作を要求することを回避できるので、利用者に過度の確認負担をかけることなく前記プリント注文表示を的確に視認させることができる。
又、上記第３の発明によれば、削除の意思を指示入力した後に、前記プリント注文表示を視認させることで、プリント注文の要否についての利用者の注意の喚起をより一層確実に行える。
【発明を実施するための最良の形態】
【００１１】
以下、本発明の携帯電話装置の実施の形態を図面に基づいて説明する。
本実施の形態の携帯電話装置ＨＰは、正面視による外観を概略的に示す図３のように、筐体正面側に、電話番号等の各種の情報を指示入力するための入力操作キー１と、画像や各種の情報を表示するための液晶パネルあるいはＥＬパネル等により構成されるディスプレイ２とが備えられる他、スピーカ３やマイク４も備えられている。
筐体裏面側には、筐体裏面側を撮影対象として被写体を撮像する撮像装置５が備えられている。撮像装置５は、例えば、レンズとＣＣＤ型あるいはＭＯＳ型等のイメージセンサとを小型モジュール化したものを用いることができる。
又、筐体上部にはアンテナ６が配置されている。
【００１２】
筐体内には、図２に概略的に示すように、アンテナ６を介して通話及び通信を行う送受信部７と、撮像装置５にて撮影した画像の画像データを記憶する記憶装置ＩＭとしてのメモリ８と、携帯電話装置ＨＰ全体の動作を制御する制御装置９とが備えられている。メモリ８に記憶された画像データの画像はディスプレイ２に表示することができ、ディスプレイ２は、前記記憶装置ＩＭに記憶された画像データの画像を表示可能な表示装置ＤＰとして機能する。
【００１３】
携帯電話装置ＨＰには、撮像装置５にて撮影した画像について指定した業者に写真プリントの作製を注文する機能が備えられている。
すなわち、図３に概略的に示すように、携帯電話装置ＨＰのデータ通信機能を利用し、通信回線（公衆回線）を経て、前記業者が運営するプリント受注用サーバ２１へ画像データを送信する。
プリント受注用サーバ２１へ送信された画像データは、前記業者の店舗に設置された写真プリント装置２２へ送られ、写真プリントが作製される。
【００１４】
写真プリントの作製を発注した発注者の特定や料金支払いのためのシステムは、種々の態様が可能であり、例えば、携帯電話装置ＨＰからプリント受注用サーバ２１へ画像データを送信したときに、注文識別用のＩＤとパスワードを受け取り、写真プリントの発注者（すなわち、携帯電話装置ＨＰの利用者）が前記店舗に出向いて写真プリント装置２２に前記ＩＤとパスワードを入力すると共に所定の料金を支払うことで、写真プリントの作製が開始されるか、あるいは、既に仕上がっている写真プリントを受け取れるようなシステムでも良いし、前記業者が運営するシステムに携帯電話装置ＨＰの電話番号によって予め会員登録しておき、携帯電話装置ＨＰからプリント受注用サーバ２１へ画像データを送信した時点で写真プリントの作製が開始されると共に、クレジットカード等によって料金が自動的に支払われるようなシステムでも良い。
【００１５】
次に、携帯電話装置ＨＰから写真プリントの作製を発注する場合の処理について、前記制御装置９が実行する図４のフローチャート及びディスプレイ２周辺を拡大して示す図１に基づいて説明する。制御装置９は、図４の処理を実行することで、前記記憶装置ＩＭに記憶された画像データを管理する画像データ管理装置ＩＰとして機能する。
携帯電話装置ＨＰの利用者が撮像装置５にて撮影して、その撮影画像の画像データがメモリ８に記憶されている状態で、入力操作キー１から撮影画像をサムネール表示させる入力操作を行うと図４に示す処理が開始される。
先ず、図１（ａ）に示すように、メモリ８から読み出した画像データのサムネール画像を作製してディスプレイ２へ表示する（ステップ＃１）。
初期状態ではサムネール表示される画像のうちの先頭の画像が選択された状態で表示される。いずれの画像が選択されているかは、例えば、サムネール画像の表示枠の色を変更することで表示できる。
【００１６】
この状態で、利用者が入力操作キー１のうちの移動ボタン１ａを操作すると指示された方向に従って選択されるサムネール画像を変更して行く（ステップ＃２，＃３）。
一方、入力操作キー１のうちのメニューボタン１ｂが押し操作されると（ステップ＃４）、ディスプレイ２に図１（ｂ）に示すメニュー画面を表示する（ステップ＃５）。
このメニュー画面では、図１（ｂ）において「サブメニュー」として表示する各項目と、「閉じる」として示す表示を選択可能であり、移動ボタン１ａの上下方向を押し操作することで、順次に選択される項目が変更される（ステップ＃６，＃７）。いずれの項目が選択されているかは、例えば、表示文字列を反転表示させることで表示できる。
【００１７】
このメニュー画面では、図１（ｂ）に示すように、その時点で選択されている画像の画像データをメモリ８から削除することを指示するための削除案内表示ＤＬと、その時点で選択されている画像について写真プリントの作製を発注指示するためのプリント注文表示ＰＯとが表示されている他、画像データのファイル名を変更するための「名前の変更」や画像データの属性情報を閲覧するための「プロパティ」の項目等が表示されている。すなわち、前記削除案内表示ＤＬと前記プリント注文表示ＰＯとが、同一画面内に並列表示されている。
【００１８】
図１（ｂ）に示すメニュー画面が表示されているときに、利用者が削除案内表示ＤＬを選択した状態で移動ボタン１ａで兼用する選択決定ボタンを押し操作すると（ステップ＃８）、該当の画像データをメモリ８から削除して（ステップ＃９）、図１（ａ）のサムネール画像の表示状態に戻る。尚、この画像データの削除時には、図１（ｂ）に示す画面表示から、更に、画像データを削除する意思を確認するための画面表示を行っても良い。
【００１９】
一方、プリント注文表示ＰＯを選択した状態で前記選択決定ボタンを押し操作すると（ステップ＃１０）、該当の選択画像について写真プリントを作製する旨の識別データをメモリ８へ記憶し（ステップ＃１１）、図１（ａ）のサムネール画像の表示状態に戻る。尚、このとき、写真プリントの作製を発注する旨の登録をした画像については、画像枠の表示色を変更して表示するようにしても良い。
上述の操作を繰り返して、写真プリントの作製を発注する画像を全て指定し終えたときは、図１（ｂ）の画面表示から「閉じる」を選択して前記選択決定ボタンを押し操作すると（ステップ＃１２）、写真プリントの作製を発注する旨が登録されている画像を確認して（ステップ＃１３）、その画像の画像データをプリント受注用サーバ２１へ送信する。送信先のプリント受注用サーバを特定するための情報は、予め入力しておいても良いし、このデータ送信を行う時点で入力を求める表示を行って良い。
画像データの送信が完了すると、図１（ｂ）の画面表示を消去して標準の待ち受け画面に戻す（ステップ＃１５）。
【００２０】
〔別実施形態〕
以下、本発明の別実施形態を列記する。
（１）上記実施の形態では、前記削除案内表示ＤＬと前記プリント注文表示ＰＯとを対応付けて表示させるについて、図１（ｂ）に示すように、同一画面内に並列表示させる場合を例示しているが、同一画面内ではなく、前記削除案内表示ＤＬに従って画像を削除する操作を行ったときに、写真プリントの作製を発注する必要の有無を問い合わせる表示を行うことで前記プリント注文表示ＰＯを表示させるようにしても良い。
（２）上記実施の形態では、撮像装置５にて撮影された画像を記憶する記憶装置ＩＭとしてメモリ８を例示しているが、小型ハードディスク装置等の種々の形態の記憶装置ＩＭを用いることができる。
【図面の簡単な説明】
【００２１】
【図１】本発明の実施の形態にかかる携帯電話装置の画面表示を示す図
【図２】本発明の実施の形態にかかる携帯電話装置の概略ブロック構成図
【図３】本発明の実施の形態にかかる写真プリントの作製を受発注するシステムを説明する図
【図４】本発明の実施の形態にかかるフローチャート
【符号の説明】
【００２２】
５    撮像装置
ＤＰ  表示装置
ＩＭ  記憶装置
ＩＰ  画像データ管理装置
【図１】
2005176109.tif 000003
【図２】
2005176109.tif 000004
【図３】
2005176109.tif 000005
【図４】
2005176109.tif 000006